(57)【要約】【課題】  テーブルと箸先を衛生的にしながら、周囲の視線から口紅や食べ物が付着し汚れた使用中の箸先を隠す事が可能であり、また外出時の箸置きの無い店舗でも衛生的に楽しく食事ができる箸置きを開発すること。【解決手段】  箸を置くための箸置き部１と、箸先を隠すための箸先隠し部２とからなり、箸置き部１に箸を置く方向と平行な箸置き部１の側面１ａの一つに箸先隠し部２を取付け、箸先隠し部２の上端部２ａが、箸置き部１の長手方向の中心Ａを越えないことで、箸先隠し部２に箸３の持ち上げを邪魔されることなく、箸先を隠すことが可能となる。また、箸置き部１０１に箸を置く方向と平行な箸置き部１０１の側面の一つに箸先隠し部１０２を連結部１０４を介して取付けたことで箸先を隠すことが可能となる。【選択図】図１
2011143220.tif 000002
【特許請求の範囲】
【請求項１】
箸を置くための箸置き部と、箸先を隠すための箸先隠し部とからなり、箸置き部に箸を置く方向と平行な箸置き部の側面の一つに箸先隠し部を取付けていることを特徴とする箸置き。
【請求項２】
箸置き部と、箸先隠し部とが連結部を介して取付けていることを特徴とする請求項１に記載の箸置き。
【請求項３】
箸先隠し部の上端部が、箸置き部の長手方向の中心を越えないことを特徴とする請求項１又は請求項２に記載の箸置き。
【請求項４】
連結部が着脱自在であることを特徴とする請求項２又は請求項３に記載の箸置き。
【請求項５】
箸置き部が箸先隠し部に収納できるようにしたことを特徴とする請求項２、請求項３、請求項４に記載の箸置き。
【請求項６】
箸先隠し部が箸置き部に収納できるようにしたことを特徴とする請求項２、請
求項３、請求項４に記載の箸置き。
【請求項７】
箸置き部または箸先隠し部のいずれかに、爪楊枝を組込むようにしたことを特徴とする請求項１、請求項２、請求項３、請求項４、請求項５、請求項６に記載の箸置き。
【発明の詳細な説明】
【技術分野】
【０００１】  本発明は箸を置く箸置きに関するものである。
【背景技術】
【０００２】  一般の箸置きは長方形や楕円形の物が立体的に出来ている。このような箸置きは、テーブルに置き、箸先を箸置きに架かるようにし、箸先が直接テーブルに接触することを防ぎ、テーブルや箸を衛生的にするものである。しかしこの様な箸置きに箸を置いた場合、食べ物が付着し汚れた使用中の箸の先が周囲の人に見えることになり、それを嫌がる人も多い。特に女性の場合は口紅も付着するので、箸の先が周囲の人に見えることを嫌がる人が尚更多くなる。【０００３】  そこで箸先を隠して置けるようにするために、特開平０９−２５２９０９号公報に記載されている箸置きがある。この箸置きは円錐形の筒状の物をテーブルに置き、その中に使用中の箸を挿入し汚れた箸先を箸置きとなる円錐形の筒状の物の中に直に置き箸先を隠す構成である。
【先行技術文献】
【特許文献】
【０００４】
【特許文献１】特開平０９−２５２９０９号公報
【発明の概要】
【発明が解決しようとする課題】
【０００５】  しかし、この特開平０９−２５２９０９号公報に記載されている箸置きはテーブルを衛生的に保つ役割をするが、円錐形の筒状の形状のため、箸の上部を覆うことになり、時によっては箸を持ち上げると言う動作において障害になる。また、円錐形の筒状の中に直に箸を置くため、箸先が箸置きに接触するので衛生的ではないという問題がある。
【課題を解決するための手段】
【０００６】  そこで、これらの課題を解決するために、本発明の箸置きは、箸を置くための箸置き部と、箸先を隠すための箸先隠し部とからなり、箸置き部に箸を置く方向と平行な箸置き部の側面の一つに箸先隠し部を取付けていることを特徴とする。【０００７】  また、本発明の箸置きは、箸置き部と、箸先隠し部とが連結部を介して取付けていることを特徴とする。【０００８】  また、箸先隠し部の上端部が、箸置き部の長手方向の中心を越えないことを特徴とする。【０００９】  また、連結部が着脱自在であることを特徴とする。【００１０】  また、箸置き部が箸先隠し部に収納できるようにしたことを特徴とする。【００１１】  また、箸先隠し部が箸置き部に収納できるようにしたことを特徴とする。【００１２】  また、箸置き部または箸先隠し部のいずれかに、爪楊枝を組込むようにしたことを特徴とする。
【発明の効果】
【００１３】  本願発明は、箸置き部となる部分に壁状などの目隠しとなる箸先隠し部を取付けることにより、箸先の汚れの目隠しができ、テーブルと箸先を衛生的にしながら、周囲の視線から口紅や食べ物が付着し汚れた使用中の箸先を隠す事が可能である。【００１４】  また、箸先隠し部に箸の持ち上げを邪魔されることなくスムーズに上方に移動することが可能である。【００１５】  また、着脱自在な構成であるので洗浄や収納がしやすく、箸先隠し部の形状をクリスマスツリーや雪だるまなど立体的またはリバーシブルが可能な形状にすれば右利き、左利きのどちらも使用することが可能である。【００１６】  また、取付ける箸先隠し部の形状を変化させたり表面に装飾を施したりすると、活用方法が豊富となり、食事の楽しさを増大させることができる。例えば、箸先隠し部を満月にし、箸置き部を兎が寝そべり、その満月を眺める形状にすれば秋の季節を感じることができ、箸先隠し部だけを雪だるまに交換すれば冬の季節を感じることができ、箸置き部と箸先隠し部の形状に物語性を取入れることにより季節感を出すことができたり、箸先隠し部を食器の色や柄に合わせたり、記念日の顔写真などを印刷や焼付けをすることにより贈答品としての活用ができたり、京都をイメージする扇にするなど地域の特産品などの形状にすることによりお土産などにも活用でき使用する人も面前の人も楽しむことが可能である。【００１７】  そして、箸置き部に箸先隠し部を収納できるようにするか、または箸先隠し部に箸置き部を収納できるようにすることによって、外出時の箸置きの無い店舗でも箸先を隠して衛生的に食事をする事が可能である。【００１８】  また、爪楊枝を洗浄可能なものにすれば省資源にも貢献できる。
【図面の簡単な説明】
【００１９】
【図１】  本発明の箸置きの斜視図。
【図２】  側面図
【図３】  実施例１の平面図。
【図４】  実施例２の斜視図。
【図５】  実施例２の収納の形を表した図面。
【図６】  箸置き部の図。
【図７】  箸先隠し部の図。
【図８】  箸先隠し部の図。
【図９】  実施例３の斜視図。
【図１０】  実施例３の組立途中の図面。
【図１１】  実施例３の収納の形を表した図面。
【図１２】  箸置き部の図。
【図１３】  箸置き部の図。
【図１４】  箸先隠し部の図。
【図１５】  実施例４の斜視図。
【図１６】  実施例４の組立途中の図面。
【図１７】  実施例４の収納の形を表した図面。
【図１８】  実施例５の斜視図。
【図１９】  実施例５の使用段階の図。
【図２０】  実施例５の使用図。
【発明を実施するための形態】
【００２０】  以下本発明にかかる最も簡単な構成の箸置きについて図１、図２を用いて説明する。
【００２１】  一般的な箸置きである箸置き部１に、箸先を隠す目隠しとなる箸先隠し部２を一体的に取付けた構成である。
【００２２】  箸置き部１に箸を置く方向と平行な箸置き部１の側面１ａの一つに、箸先隠し部２の一端を箸置き部１に箸３が置かれた時に箸先が位置する方に箸先隠し部２の５０％以上が位置するように箸先隠し部２が箸置き部１に取付けられている。また、箸先隠し部２の上端部２ａが、箸置き部１の長手方向の中心Ａを越えないよう構成されている。
【００２３】  また、箸置き部１には爪楊枝９が組入れられる爪楊枝入れ１０を設け、爪楊枝９が配されている。
【００２４】  箸置き部１の側面１ａの一つに、箸先隠し部２の一端を箸置き部１に箸３が置かれた時に箸先が位置する方に箸先隠し部２の５０％以上が位置するように箸先隠し部２が箸置き部１に取付けられているので、箸置き部２に箸３を置いた時に箸先が隠れ、箸先隠し部２の上端部２ａが、箸置き部１の長手方向の中心Ａを越えないのでスムーズに箸を持ち上げることができる。
【実施例１】
【００２５】  実施例１について図３を用いて説明する。箸置き連結部１０５、箸先隠し連結部１０６が連結部１０４を介して連結できる様子を表している。【００２６】  箸置き部１０１に箸を置く方向と平行な箸置き部１０１の側面の一つには、箸先隠し部１０２の両面に施された穴である箸先隠し連結部１０６に連結できる突出物である箸置き連結部１０５が施されている。箸置き部１０１の側面の一つに箸置き連結部１０５と、箸先隠し部１０２の両面に箸先隠し連結部１０６を施すことにより、右利き、左利きに拘らず使用することが可能となる。【００２７】  連結部の着脱自在の構成においては、箸置き部１０１の箸を置く方向と平行な箸置き部１０１の両側面に穴である箸置き連結部１０５を施し、箸先隠し部１０２の一方の側面に施された突出物である箸先隠し連結部１０６に連結できて、箸先を隠すことができる構造とすることもできる。連結の構成は連結ができ、箸先を隠すことができる構成であれば特に限定するものではない。
【実施例２】
【００２８】  つぎに実施例２について図４から図８を用いて説明する。図４は箸置き部２０１に広げられた箸先隠し部２０２ａ、箸先隠し部２０２ｂ、箸先隠し部２０２ｃが連結されている。箸置き部２０１の箸を置く方向と平行な箸置き部２０１の側面の一つに箸置き連結部２０５を接着し、箸先隠し部２０２ｃに接着されたレール状の箸先隠し連結部２０６を介し連結部２０４の位置で、箸先隠し部連結部材２０７で連結され収納された箸先隠し部２０２ａ、箸先隠し部２０２ｂ、箸先隠し部２０２ｃを箸置き部２０１から取出し、広げたものである。【００２９】  図５は箸置き部２０１に箸先隠し部２０２ａ、箸先隠し部２０２ｂ、箸先隠し部２０２ｃが折畳まれ収納されている。箸先隠し部２０２ａ、箸先隠し部２０２ｂ、箸先隠し部２０２ｃは収納するために箸先隠し部連結部材２０７で連結され折畳める仕掛けを施してある。折畳まれる箸先隠し部の枚数は箸置き部２０１に収納できればよく特に限定するものではない。また、箸先隠し部２０２ａの連結されていない一端には、爪楊枝２０９が組入れられる爪楊枝入れ２１０を設け爪楊枝２０９が配されている。【００３０】  図６、図７、図８は箸置き部２０１から箸先隠し部２０２ａ、箸先隠し部２０２ｂ、箸先隠し部２０２ｃが取外されている。箸置き部２０１の一端に球状の箸置き連結部２０５が下方に向け取付けられている。また箸先隠し部２０２ｃには球状の箸置き連結部２０５の引き出しがしやすいレール状の箸先隠し連結部２０６が取付けられている。【００３１】  箸置き連結部２０５、箸先隠し連結部２０６の素材、形はプラスチック、ゴム、鉄など箸置き連結部２０５と箸先連結部２０６の機能が働き、移動しやすく、強度がある素材、形であれば特に限定するものではない。
【実施例３】
【００３２】  つぎに実施例３について図９から図１４を用いて説明する。図９、図１０は連結された箸置き部３０１ａ、箸置き部３０１ｂ、箸置き部３０１ｃの一部と連結された箸先隠し部３０２ａ、箸先隠し部３０２ｂ、箸先隠し部３０２ｃの一部が連結されている。箸置き部３０１ｂを中心に箸置き部３０１ａ、箸置き部３０１ｃの箸置き部連結部材３０８を接着していない一端を下方に折り、箸置きに形成し、箸置き部３０１ｂの箸を置く方向と平行な箸置き部３０１ｂの一端に接着された箸置き連結部３０５に、箸先隠し部３０２ｃに接着された箸先隠し連結部３０６が連結部３０４の位置で連結され、連結された箸置き連結部３０５と箸先隠し連結部３０６の角度を変え、箸先隠し部連結部材３０７で連結され収納された箸先隠し部３０２ａ、箸先隠し３０２ｂ、箸先隠し部３０２ｃが広けられている。【００３３】  図１１は箸置き部連結部材３０８で連結された箸置き部３０１ａ、箸置き部３０１ｂ、箸置き部３０１ｃに、箸先隠し部連結部材３０７で連結された箸先隠し部３０２ａ、箸先隠し部３０２ｂ、箸先隠し部３０２ｃが折畳まれ収納されている。折畳まれる箸先隠し部の枚数は箸置き部３０１ａ、箸置き部３０１ｂ、箸置き部３０１ｃに収納できればよく特に限定するものではない。【００３４】  図１２、図１３は箸置き部３０１ａ、箸置き部３０１ｂ、箸置き部３０１ｃを箸置き部連結部材３０８で折り返しができる仕掛けを施し、箸先隠し部連結部材３０７で連結され折畳まれた箸先隠し部３０２ａ、箸先隠し部３０２ｂ、箸先隠し部３０２ｃを収納し、また、箸置きに変化させることができる構成とした。【００３５】  図１４は箸先隠し部３０２ａ、箸先隠し部３０２ｂ、箸先隠し部３０２ｃを収納するために箸先隠し部連結部材３０７で連結し折畳める構成とした。また、箸先隠し部３０２ａの連結されていない一端には爪楊枝３０９が組入れられる爪楊枝入れ３１０を設け、爪楊枝３０９が配されている。【００３６】  箸先隠し部２０２ａ、箸先隠し部２０２ｂ、箸先隠し部２０２ｃと箸先隠し部３０２ａ、箸先隠し部３０２ｂ、箸先隠し部３０２ｃにおいては折畳む必要はなく、収納が容易で、箸先隠し部の役割を果たす構造ならば、特に限定するものではない。
【実施例４】
【００３７】  つぎに実施例４について図１５から図１７を用いて説明する。図１５、図１６は箸先隠し部連結部材４０７で連結された箸先隠し部４０２ａ、箸先隠し部４０２ｂに、箸置き部連結部材４０８で連結され収納された箸置き部４０１ａ、箸置き部４０１ｂを取出し、箸置き部４０１ｂを折り返したものである。箸置き部４０１ａと箸先隠し部４０２ａは、箸を置く方向と平行な箸置き部４０１ａの一端に接着された箸置き連結部４０５と、箸先隠し部４０２ａの一端に接着された箸先隠し連結部４０６で連結部４０４の位置で連結されている。【００３８】  箸先隠し部４０２ａから、箸置き部連結部材４０８で連結され収納された箸置き部４０１ａ、箸置き部４０１ｂを取り出すことなく、箸先隠し部４０２ａ、箸先隠し部４０２ｂをテーブルに立てると、従来から使用している箸置きの箸先隠しとしての使用も可能である。【００３９】  また箸置き部４０１ｂの連結されていない一端には爪楊枝４０９が組入れられる爪楊枝入れ４１０を設け、爪楊枝４０９が配されている。【００４０】  図１７は箸先隠し部連結部材４０７で連結された箸先隠し部４０２ａ、箸先隠し部４０２ｂに、箸置き部連結部材４０８で連結された箸置き部４０１ａ、箸置き部４０１ｂを収納したものである。
【実施例５】
【００４１】  つぎに実施例５について図１８から図２０を用いて説明する。図１８は結合された箸先隠し部５０２と箸先隠し部支え５１１、箸先隠し部支え５１２に、爪楊枝５０９が内設された開閉可能な箸置き部５０１が収納されている。【００４２】  箸先隠し部５０２、箸先隠し部支え５１１、箸先隠し部支え５１２を結合させ、箸先隠し部支え５１１、箸先隠し部支え５１２の下方に施された箸先隠し連結部５０６と、箸置き部５０１の下方一端に施された箸置き連結部５０５に、連結部５０４の位置で連結部材５１４をはめ込み箸置き部５０１が開閉可能に連結されている。【００４３】  箸置き部５０１には爪楊枝５０９が組入れられる爪楊枝入れ５１０を設け、爪楊枝５０９が配されている。【００４４】  図１９、図２０は収納された箸置き部５０１が取り出され爪楊枝５０９が使用できるようにした図である。箸先隠し部５０２と箸先隠し部支え５１１の間には隙間が設けられ、エチケット鏡や口を拭くナプキン５１３などが挟み込める構造である。【００４５】  箸置き部１と箸先隠し部２、箸置き部１０１と箸先隠し部１０２、箸置き部２０１と箸先隠し部２０２ａ、箸先隠し部２０２ｂ、箸先隠し部２０２ｃ、箸置き部３０１ａ、箸置き部３０１ｂ、箸置き部３０１ｃと箸先隠し部３０２ａ、箸先隠し部３０２ｂ、箸先隠し部３０２ｃ、箸置き部４０１ａ、箸置き部４０１ｂと箸先隠し部４０２ａ、箸先隠し部４０２ｂ、箸置き部５０１と箸先隠し部５０２の接着及び連結の角度は、箸を持ち上げる動作の障害にならないのであるならば特に限定するものではない。【００４６】  箸置き部１、箸置き部１０１、箸置き部２０１、箸置き部３０１ａ、箸置き部３０１ｂ、箸置き部３０１ｃ、箸置き部４０１ａ、箸置き部４０１ｂ、箸置き部５０１、箸先隠し部２、箸先隠し部１０２、箸先隠し部２０２ａ、箸先隠し部２０２ｂ、箸先隠し部２０２ｃ、箸先隠し部３０２ａ、３０２ｂ、箸先隠し部３０２ｃ、箸先隠し部４０２ａ、箸先隠し部４０２ｂ、箸先隠し部５０２、爪楊枝９、爪楊枝２０９、爪楊枝３０９、爪楊枝４０９、爪楊枝５０９、箸先隠し部支え５１１、箸先隠し部支え５１２においては、陶器、磁器、プラスチック、ゴム、鉄などの繰り返し洗浄できるものが理想であるが、場合によっては紙、布、木など特に限定するものではない。また大きさ、高さ、幅、形、デザイン、色などは清潔に箸が置け本発明の機能を害わない構造であれば、特に限定するものではない。【００４７】  実施例２、実施例３、実施例４、実施例５のように箸置き部が箸先隠し部に収納でき、また、箸先隠し部が箸置き部に収納できれば構造を特に限定するものではない。
【符号の説明】
【００４８】１          箸置き部
１ａ        箸置き部の側面
２          箸先隠し部
２ａ        箸先隠し部の上端部
３          箸
４          連結部
９          爪楊枝
１０        爪楊枝入れ
Ａ          箸置き部の長手方向の中心
１０１      箸置き部
１０２      箸先隠し部
１０４      連結部
１０５      箸置き連結部
１０６      箸先隠し連結部
２０１      箸置き部
２０２ａ    箸先隠し部
２０２ｂ    箸先隠し部
２０２ｃ    箸先隠し部
２０４      連結部
２０５      箸置き連結部
２０６      箸先隠し連結部
２０７      箸先隠し部連結部材
２０９      爪楊枝
２１０      爪楊枝入れ
３０１ａ    箸置き部
３０１ｂ    箸置き部
３０１ｃ    箸置き部
３０２ａ    箸先隠し部
３０２ｂ    箸先隠し部
３０２ｃ    箸先隠し部
３０４      連結部
３０５      箸置き連結部
３０６      箸先隠し連結部
３０７      箸先隠し部連結部材
３０８      箸置き部連結部材
３０９      爪楊枝
３１０      爪楊枝入れ
４０１ａ    箸置き部
４０１ｂ    箸置き部
４０２ａ    箸先隠し部
４０２ｂ    箸先隠し部
４０４      連結部
４０５      箸置き連結部
４０６      箸先隠し連結部
４０７      箸先隠し部連結部材
４０８      箸置き部連結部材
４０９      爪楊枝
４１０      爪楊枝入れ
５０１      箸置き部
５０２      箸先隠し部
５０４      連結部
５０５      箸置き連結部
５０６      箸先隠し連結部
５０９      爪楊枝
５１０      爪楊枝入れ
５１１      箸先隠し部支え
５１２      箸先隠し部支え
５１３      ナプキン
５１４      連結部材
【図１】
2011143220.tif 000003
【図２】
2011143220.tif 000004
【図３】
2011143220.tif 000005
【図４】
2011143220.tif 000006
【図５】
2011143220.tif 000007
【図６】
2011143220.tif 000008
【図７】
2011143220.tif 000009
【図８】
2011143220.tif 000010
【図９】
2011143220.tif 000011
【図１０】
2011143220.tif 000012
【図１１】
2011143220.tif 000013
【図１２】
2011143220.tif 000014
【図１３】
2011143220.tif 000015
【図１４】
2011143220.tif 000016
【図１５】
2011143220.tif 000017
【図１６】
2011143220.tif 000018
【図１７】
2011143220.tif 000019
【図１８】
2011143220.tif 000020
【図１９】
2011143220.tif 000021
【図２０】
2011143220.tif 000022
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
箸を置くための箸置き部と、箸置き部の一端に取付けられた箸先を隠すための箸先隠し部とからなり、箸先隠し部が箸置き部に箸が置かれた時に箸先が位置する方に箸先隠し部の５０％以上が位置するように箸置き部に取付けられ、かつ、箸先隠し部の上端部が箸置き部の中心を越えないように取付けられたことを特徴とする箸置き。
【請求項２】
箸先隠し部が箸置き部に連結部を介して取付けられていることを特徴とする請求項１に記載の箸置き。
【請求項３】
連結部が着脱自在であることを特徴とする請求項２に記載の箸置き。
【請求項４】
箸置き部が箸先隠し部に収納できるようにしたことを特徴とする請求項１、請求項２、請求項３に記載の箸置き。
【請求項５】
箸先隠し部が箸置き部に収納できるようにしたことを特徴とする請求項１、請求項２、請求項３に記載の箸置き。
【請求項６】
箸先隠し部に、爪楊枝を組込むようにしたことを特徴とする請求項１、請求項２、請求項３、請求項４、請求項５に記載の箸置き。
【手続補正２】
【補正対象書類名】明細書
【補正対象項目名】０００６
【補正方法】変更
【補正の内容】
【０００６】  そこで、これらの課題を解決するために、本発明の箸置きは、箸を置くための箸置き部と、箸置き部の一端に取付けられた箸先を隠すための箸先隠し部とからなり、箸先隠し部が箸置き部に箸が置かれた時に箸先が位置する方に箸先隠し部の５０％以上が位置するように箸置き部に取付けられ、かつ、箸先隠し部の上端部が箸置き部の中心を越えないように取付けられたことを特徴とする。
【手続補正３】
【補正対象書類名】明細書
【補正対象項目名】０００７
【補正方法】変更
【補正の内容】
【０００７】  また、本発明の箸置きは、箸先隠し部が箸置き部に連結部を介して取付けられていることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】００１２
【補正方法】変更
【補正の内容】
【００１２】  また、箸先隠し部に、爪楊枝を組込むようにしたことを特徴とする。
【手続補正６】
【補正対象書類名】明細書
【補正対象項目名】００１３
【補正方法】変更
【補正の内容】
【００１３】  本願発明は、箸先隠し部が箸置き部に箸が置かれた時に箸先が位置する方に箸先隠し部の５０％以上が位置するように箸置き部に取付けられ、かつ、箸先隠し部の上端部が箸置き部の中心を越えないように取付けられたことにより、箸置き部に箸を置いた時に箸先を隠すことができるので、テーブルと箸先を衛生的にしながら、周囲の視線から口紅や食べ物が付着し汚れた使用中の箸先の汚れの目隠しができ、かつ、箸先隠し部に箸の持ち上げを邪魔されることなくスムーズに上方に移動することが可能である。
【手続補正７】
【補正対象書類名】明細書
【補正対象項目名】００１４
【補正方法】削除
【補正の内容】
【手続補正書】
【提出日】平成22年8月24日(2010.8.24)
【手続補正１】
【補正対象書類名】特許請求の範囲
【補正対象項目名】請求項１
【補正方法】変更
【補正の内容】
【請求項１】
箸を置くための箸置き部と、箸を箸置き部に置いた時に、箸の長手方向と平行になる箸置き部の側面の一つに取付けられた箸先を隠すための箸先隠し部とからなり、箸先隠し部が箸置き部に箸が置かれた時に箸先が位置する方に箸先隠し部の長さの５０％以上が位置するように箸置き部に取付けられ、かつ、箸先隠し部の上端部が箸置き部の中心を越えないように取付けられたことを特徴とする箸置き。
【手続補正２】
【補正対象書類名】特許請求の範囲
【補正対象項目名】請求項４
【補正方法】変更
【補正の内容】
【請求項４】
箸置き部が箸先隠し部に収納できるようにしたことを特徴とする請求項１、請求項２、請求項３のいずれかに記載の箸置き。
【手続補正３】
【補正対象書類名】特許請求の範囲
【補正対象項目名】請求項５
【補正方法】変更
【補正の内容】
【請求項５】
箸先隠し部が箸置き部に収納できるようにしたことを特徴とする請求項１、請求項２、請求項３のいずれかに記載の箸置き。
【手続補正４】
【補正対象書類名】特許請求の範囲
【補正対象項目名】請求項６
【補正方法】変更
【補正の内容】
【請求項６】
箸先隠し部に、爪楊枝を組込むようにしたことを特徴とする請求項１、請求項２、請求項３、請求項４、請求項５のいずれかに記載の箸置き。
【手続補正５】
【補正対象書類名】明細書
【補正対象項目名】０００６
【補正方法】変更
【補正の内容】
【０００６】  そこで、これらの課題を解決するために、本発明の箸置きは、箸を置くための箸置き部と、箸を箸置き部に置いた時に、箸の長手方向と平行になる箸置き部の側面の一つに取付けられた箸先を隠すための箸先隠し部とからなり、箸先隠し部が箸置き部に箸が置かれた時に箸先が位置する方に箸先隠し部の長さの５０％以上が位置するように箸置き部に取付けられ、かつ、箸先隠し部の上端部が箸置き部の中心を越えないように取付けられたことを特徴とする。